(57)【要約】【課題】コンテンツ情報を格納する記録媒体を含んだ状態で持ち運び等される第１電子機器と、車載型プレーヤ、据置型プレーヤ等の第２電子機器とを含んでなる電子機器セットにおいて、第１電子機器で再生中のコンテンツ情報を、比較的簡単な操作により若しくは自動的に第２電子機器で再生する。【解決手段】ポータブルオーディオプレーヤ（１００）は、音声データを再生可能なデコーダ（１４）等と、その再生の開始及び停止を制御するマイコン（１６）と、無線通信装置（２４）とを備える。車載型オーディオプレーヤ（２００）は、ポータブルオーディオプレーヤの無線通信装置との間で双方向に無線通信可能な無線通信装置（６４）と、音声データを再生可能なデコーダ（５４）等と、その再生の開始及び停止を制御するマイコン（５６）とを備える。ポータブルオーディオプレーヤ側で再生を停止した際に、車載型オーディオプレーヤ側で再生を開始する。【選択図】　図１
2004022139.tif 000002
【特許請求の範囲】
【請求項１】
第１及び第２電子機器を含む電子機器セットであって、
第１電子機器は、
コンテンツ情報を再生可能な第１再生手段と、
該第１再生手段の再生の開始及び停止を制御する第１制御手段と、
無線通信可能な第１通信手段と
を備え、
前記第２電子機器は、
前記第１通信手段との間で双方向に無線通信可能な第２通信手段と、
前記コンテンツ情報を再生可能な第２再生手段と、
該第２再生手段の再生の開始及び停止を制御する第２制御手段と
を備え、
前記第１制御手段による制御下で前記第１再生手段による前記コンテンツ情報の再生を停止した際に、前記２制御手段による制御下で前記第２再生手段による前記コンテンツ情報の再生を開始するように、前記第１及び第２制御手段間で制御信号の授受が前記第１及び第２通信手段を介して行われることを特徴とする電子機器セット。
【請求項２】
前記第１電子機器は、前記コンテンツ情報を格納する第１記録媒体を更に備え、
前記第１再生手段は、前記再生を行う際に、前記格納されたコンテンツ情報を前記第１記録媒体から読み出して再生し、
前記第１通信手段は、前記第１再生手段が前記再生を停止する際に、前記格納されたコンテンツ情報を前記第１記録媒体から読み出して前記第２通信手段に送信し、
前記第２再生手段は、前記第２通信手段により受信されたコンテンツ情報を再生することを特徴とする請求項１に記載の電子機器セット。
【請求項３】
前記第２電子機器は、前記コンテンツ情報を格納する第２記録媒体を備え、
前記第２通信手段により受信した前記コンテンツ情報を格納し、
前記第２再生手段は、前記第２記録媒体に格納されたコンテンツ情報を再生することを特徴とする請求項２に記載の電子機器セット。
【請求項４】
前記第１再生手段が前記再生を停止する際に、前記第２再生手段は、前記再生を切れ目無く開始することを特徴とする請求項１から３のいずれか一項に記載の電子機器セット。
【請求項５】
前記第１再生手段が前記再生を停止する際に、前記第２再生手段は、前記再生を所定量だけ重ねて開始する又は前記停止されたコンテンツ情報における停止個所を含む所定単位の冒頭から前記再生を開始することを特徴とする請求項１から３のいずれか一項に記載の電子機器セット。
【請求項６】
前記第１及び第２電子機器が所定範囲内まで相互に接近すると、前記第１及び第２通信手段間における通信接続が確立され、
該通信接続が確立されると、前記制御信号の授受が行われることを特徴とする請求項１から５のいずれか一項に記載の電子機器セット。
【請求項７】
前記第１及び第２電子機器間の接近状態が所定基準に従って検知された場合に、前記第１再生手段が前記再生を停止すると共に前記第２再生手段が前記再生を開始するように前記制御信号の授受が行われることを特徴とする請求項１から５のいずれか一項に記載の電子機器セット。
【請求項８】
前記第１及び前記第２制御手段のうち少なくとも一方が、前記第１及び第２通信手段間の通信状態に基づいて前記接近状態の検知を行うことを特徴とする請求項７に記載の電子機器セット。
【請求項９】
前記第１及び第２電子機器のうち少なくとも一方は、予め設定された誘引事象を検出する検出手段を更に備え、
該誘引事象が検出されると、前記第１再生手段による再生を停止し、前記第２再生手段による再生を開始するように前記制御信号の授受が行われることを特徴とする請求項１から８のいずれか一項に記載の電子機器セット。
【請求項１０】
前記第１電子機器は、一又は複数の前記第２電子機器を識別する識別コードを保持する第１不揮発性メモリを更に備え、
前記第１通信手段は、前記第１不揮発性メモリに保持された識別コードに基づいて前記第２通信手段との無線通信を行うことを特徴とする請求項１から９のいずれか一項に記載の電子機器セット。
【請求項１１】
前記第１不揮発性メモリは、前記第２電子機器との接続条件を規定する接続条件データを前記識別コードに対応付けて保持することを特徴とする請求項１０に記載の電子機器セット。
【請求項１２】
前記第２電子機器は、一又は複数の前記第１電子機器を識別する識別コードを保持する第２不揮発性メモリを更に備え、
前記第２通信手段は、前記第２不揮発性メモリに保持された識別コードに基づいて前記第１通信手段との無線通信を行うことを特徴とする請求項１から１１のいずれか一項に記載の電子機器セット。
【請求項１３】
前記第２不揮発性メモリは、前記第２電子機器との接続条件を規定する接続条件データを前記識別コードに対応付けて保持することを特徴とする請求項１２に記載の電子機器セット。
【請求項１４】
前記第１及び第２電子機器間の離間状態が所定基準に従って検知された場合に、前記第２再生手段が前記再生を停止すると共に前記第１再生手段が前記再生を再開することを特徴とする請求項１から１３のいずれか一項に記載の電子機器セット。
【請求項１５】
前記第１及び第２電子機器が所定範囲外まで相互に離間すると、前記第１及び第２通信手段間における通信接続が切れ、
該通信接続が切れると、前記第２再生手段が前記再生を停止すると共に前記第１再生手段が前記再生を再開することを特徴とする請求項１から１３のいずれか一項に記載の電子機器セット。
【請求項１６】
第１及び第２電子機器を含む電子機器セットであって、
第１電子機器は、
コンテンツ情報を再生可能な第１再生手段と、
該第１再生手段の再生の開始及び停止を制御する第１制御手段と、
無線通信可能な第１通信手段と
を備え、
前記第２電子機器は、
前記第１通信手段との間で双方向に無線通信可能な第２通信手段と、
前記コンテンツ情報を再生可能な第２再生手段と、
該第２再生手段の再生の開始及び停止を制御する第２制御手段と
を備え、
前記第１電子機器は、前記第１又は第２再生手段による前記コンテンツ情報の再生を途中で停止した停止個所を示す停止個所情報を格納する第１記録媒体を更に備えており、
前記第１及び第２電子機器が所定範囲内まで相互に接近すると、前記第１及び第２通信手段間における通信接続が確立され、
該通信接続が確立されると、前記通信手段は、少なくとも前記停止個所情報を前記第２通信手段に送信し、
前記第２通信手段は、少なくとも前記停止個所情報を受信し、
前記第２通信手段は、前記２制御手段による制御下で、前記第２再生手段による前記コンテンツ情報の再生を、前記受信された停止個所情報に基づく前記停止個所から開始することを特徴とする電子機器セット。
【請求項１７】
前記第１記録媒体は、前記コンテンツ情報を前記停止個所情報に対応付けて格納し、
前記第１通信手段は、前記通信接続が確立されると、前記停止個所情報と共に前記コンテンツ情報を送信し、
前記第２通信手段は、前記送信されたコンテンツ情報を受信し、
前記第２再生手段は、前記受信されたコンテンツ情報の再生を、前記停止個所から開始することを特徴とする請求項１６に記載の電子機器セット。
【請求項１８】
コンピュータを請求項１から１７のいずれか一項に記載の電子機器セットを構成する少なくとも前記第１又は第２制御手段として機能させることを特徴とするコンピュータプログラム。
【請求項１９】
無線通信可能な第２通信手段と、前記コンテンツ情報を再生可能な第２再生手段と、該第２再生手段の再生の開始及び停止を制御する第２制御手段とを備えた前記第２電子機器と対で電子機器セットをなす第１電子機器であって、
コンテンツ情報を再生可能な第１再生手段と、
該第１再生手段の再生の開始及び停止を制御する第１制御手段と、
前記第２通信手段との間で双方向に無線通信可能な第１通信手段と
を備え、
前記第１制御手段による制御下で前記第１再生手段による前記コンテンツ情報の再生を停止した際に、前記２制御手段による制御下で前記第２再生手段による前記コンテンツ情報の再生を開始するように、前記第１及び第２制御手段間で制御信号の授受が前記第１及び第２通信手段を介して行われることを特徴とする第１電子機器。
【請求項２０】
コンテンツ情報を再生可能な第１再生手段と、該第１再生手段の再生の開始及び停止を制御する第１制御手段と、無線通信可能な第１通信手段とを備えた第１電子機器と対で電子機器セットをなす第２電子機器であって、
前記第１通信手段との間で双方向に無線通信可能な第２通信手段と、
前記コンテンツ情報を再生可能な第２再生手段と、
該第２再生手段の再生の開始及び停止を制御する第２制御手段と
を備え、
前記第１制御手段による制御下で前記第１再生手段による前記コンテンツ情報の再生を停止した際に、前記２制御手段による制御下で前記第２再生手段による前記コンテンツ情報の再生を開始するように、前記第１及び第２制御手段間で制御信号の授受が前記第１及び第２通信手段を介して行われることを特徴とする第２電子機器。
【発明の詳細な説明】
【０００１】
【発明の属する技術分野】
本発明は、ＣＤ（Ｃｏｍｐａｃｔ　Ｄｉｓｃ）、ＭＤ（Ｍｉｎｉ　Ｄｉｓｃ）、ＤＶＤ、ハードディスク、メモリスティック、メモリカード等に代表されるコンテンツ情報を格納する記録媒体を含んだ状態で持ち運び等される第１電子機器と、車載型プレーヤ、据置型プレーヤ等に代表され、第１電子機器とは独立して設置される或いは持ち運びされる第２電子機器とを含んでなる電子機器セット、当該電子機器セットをなす第１及び第２電子機器、並びにコンピュータをこのような第１又は第２電子機器の制御手段として機能させるコンピュータプログラムの技術分野に属する。
【０００２】
【従来の技術】
野外等で、音声情報、映像情報等のコンテンツ情報を視聴可能な、ポータブルＣＤプレーヤ、ポータブルＭＤプレーヤ、ポータブルＤＶＤプレーヤ等のポータブルプレーヤがある。この種のポータブルプレーヤを視聴中のユーザが、野外から、車載型プレーヤが設置された自動車内等に乗り込む場合や据置型プレーヤが設置された住宅内等に入り込む場合には、一般に視聴中のコンテンツ情報は視聴途中にある。
【０００３】
そこで、ユーザが当該鑑賞途中にあるコンテンツ情報を視聴し続けたい場合には、自動車に乗り込んだ際や住宅に入り込んだ際に、ユーザは先ず、ポータブルプレーヤからＣＤ、ＭＤ、ＤＶＤ等の記録媒体を取り出して、これを車載型プレーヤや据置型プレーヤに装着する。続けて、視聴途中のコンテンツ情報における最後に視聴した個所付近を、車載型プレーヤや据置型プレーヤにおける、早送り、チャプターサーチ機能等により探し出す。更に、その探し出した個所付近から、このコンテンツ情報の再生を開始させる操作を行う。
【０００４】
或いは、ユーザは、ポータブルプレーヤに、通常イヤフォンジャックにイヤフォンの代わりに外付けされるＦＭ発信機を取り付ける。又は、ＦＭ発信機内蔵型のポータブルプレーヤであれば、当該ポータブルプレーヤをＦＭ発信モードに切り替える。これにより、ポータブルプレーヤの再生出力をＦＭ電波で送信させる。更にユーザは、車載型プレーヤや据置型プレーヤをＦＭ受信モードにセットし、これと相前後して、ＦＭ発信機による送信に対応する特定のＦＭ周波数にチューニングを合わせる操作を行う。これにより、車載型プレーヤや据置型プレーヤは、視聴途中にあるコンテンツ情報の最後に視聴した個所付近から受信出力を開始する。
【０００５】
【発明が解決しようとする課題】
しかしながら、前述した記録媒体の取り出しと装着を行うようなポータブルプレーヤと車載型或いは据置型プレーヤとの組み合わせでは、ユーザにおける操作労力が大きく、面倒である。特に、カセットテープ等ではなく、ランダムアクセス型のＣＤ、ＭＤ、ＤＶＤ等の場合には、視聴中であったコンテンツ情報を探す操作は、煩雑化してしまうという問題点がある
他方、前述したＦＭ発信機を介して音声出力の切り替えを行うポータブルプレーヤと車載型或いは据置型プレーヤとの組み合わせでは、ＦＭ発信機の取り付けや、車載型或いは据置型プレーヤにおける動作状態の設定やチューニングなど、やはり視聴中であったコンテンツ情報を探す操作は、煩雑化してしまうという問題点がある。
【０００６】
従って本発明は、上記問題点に鑑みなされたものであり、例えば、ポータブルプレーヤ等の第１電子機器で再生中のコンテンツ情報を、比較的簡単な操作により若しくは自動的に、車載型或いは据置型プレーヤ等の第２電子機器によって再生可能な第１及び第２電子機器を含む電子機器セット、当該電子機器セットをなす第１及び第２電子機器、並びにコンピュータをこのような第１又は第２電子機器の制御手段として機能させるコンピュータプログラムを提供することを課題とする。
【０００７】
【課題を解決するための手段】
本発明の電子機器セットは上記課題を解決するために、第１及び第２電子機器を含む電子機器セットであって、第１電子機器は、コンテンツ情報を再生可能な第１再生手段と、該第１再生手段の再生の開始及び停止を制御する第１制御手段と、無線通信可能な第１通信手段とを備え、前記第２電子機器は、前記第１通信手段との間で双方向に無線通信可能な第２通信手段と、前記コンテンツ情報を再生可能な第２再生手段と、該第２再生手段の再生の開始及び停止を制御する第２制御手段とを備え、前記第１制御手段による制御下で前記第１再生手段による前記コンテンツ情報の再生を停止した際に、前記２制御手段による制御下で前記第２再生手段による前記コンテンツ情報の再生を開始するように、前記第１及び第２制御手段間で制御信号の授受が前記第１及び第２通信手段を介して行われる。
【０００８】
本発明の電子機器セットによれば、第１電子機器は例えば、音声情報、映像情報等のコンテンツ情報を再生可能なポータブルプレーヤに代表される可搬型再生装置として構築される。これに対し、第２電子機器は例えば、音声情報、映像情報等のコンテンツ情報を再生可能なカーステレオ、リアエンターテイメントシステム等に代表される車載型再生装置、或いはステレオコンポ、ホームシアターシステム等に代表される据置型再生装置として構築される。
【０００９】
その動作時には、先ず第１電子機器において、第１制御手段による制御下で、コンテンツ情報の再生が第１再生手段によって行われる。これにより、ユーザは、例えば歩きながらイヤフォンやヘッドフォンを介してコンテンツ情報を鑑賞する。或いは、これに加えて又は代えて、例えば小型画面を見てコンテンツ情報を鑑賞する。この鑑賞の最中に、例えば後述する各種態様の如く第２電子機器の付近に来ると自動的に或いは予め設定されたユーザ操作によって、第１制御手段による制御下で第１再生手段によるコンテンツ情報の再生が停止される。この際、第１及び第２制御手段間で制御信号の授受が第１及び第２通信手段を介して行われ、第１再生手段がコンテンツ情報の再生を停止するのに対応して、第２制御手段による制御下で第２再生手段による当該コンテンツ情報の再生が開始される。
【００１０】
よって、野外で、ポータブルプレーヤ等の第１電子機器を使ってコンテンツ情報を鑑賞中のユーザが、車載型プレーヤ等の第２電子機器が設置された自動車内等に乗り込む場合や、据置型プレーヤ等の第２電子機器が設置された住宅内等に入り込む場合に、ユーザは面倒な手動操作を殆ど又は全く行う必要なしに、当該鑑賞途中にあるコンテンツ情報を、第２電子機器を使って鑑賞し続けることができる。
【００１１】
特に、ランダムアクセス型のＣＤ、ＭＤ、ＤＶＤ等の場合でも、コンテンツ情報をその停止個所から続けて鑑賞するために、第２電子機器において当該停止個所を探す操作等も不要であり、ユーザにとっては大変便利である。
【００１２】
本発明の電子機器セットの一態様では、前記第１電子機器は、前記コンテンツ情報を格納する第１記録媒体を更に備え、前記第１再生手段は、前記再生を行う際に、前記格納されたコンテンツ情報を前記第１記録媒体から読み出して再生し、前記第１通信手段は、前記第１再生手段が前記再生を停止する際に、前記格納されたコンテンツ情報を前記第１記録媒体から読み出して前記第２通信手段に送信し、前記第２再生手段は、前記第２通信手段により受信されたコンテンツ情報を再生する。
【００１３】
この態様によれば、先ず第１電子機器において、第１制御手段による制御下で、第１記録手段に格納されたコンテンツ情報が読み出され、第１再生手段によって再生される。この鑑賞の最中に、例えば第２電子機器の付近に来た際に自動的に、第１再生手段によるコンテンツ情報の再生が停止されると、第１記録媒体に格納されたコンテンツ情報が読み出され、今度は、第１通信手段によって第２通信手段へ送信される。そして、受信されたコンテンツ情報が、第２再生手段によって再生される。よって、同一のコンテンツ情報源を用いて、第１再生手段からの再生出力を、第２再生手段からの再生出力に効率良く切り替えることが可能となる。また、このような構成によれば、コンテンツ情報の停止個所を特に意識しなくとも、第１再生手段側の停止個所から第２再生手段で再正を開始することも技術的に容易となる。
【００１４】
このような第１記録媒体は、例えば、ＣＤ、ＤＶＤ、ＭＤ等のリムーバルな記録メディアであってもよいし、ハードディスク、ＲＡＭ等のリムーバルでない記録メディアであってもよい。後者の場合には、記録メディア自体を取り出して第２電子機器に装着することが困難であるため、本願発明の技術的効果が一層顕在化する。但し、前者の場合であっても、本願発明の技術的効果は従来技術に比較して顕著に大きい。
【００１５】
尚、このようなコンテンツ情報の送信は、例えば、まとめて数秒間分や数分間分或いは曲ごと或いはアルバムごと等の任意の単位で送信してよく、定期又は不定期に送信可能である。
【００１６】
この態様では、前記第２電子機器は、前記コンテンツ情報を格納する第２記録媒体を備え、前記第２通信手段により受信した前記コンテンツ情報を格納し、前記第２再生手段は、前記第２記録媒体に格納されたコンテンツ情報を再生するように構成してもよい。
【００１７】
このように構成すれば、第２記録媒体に、例えば数秒間分や数分間分等の単位で送信されたコンテンツ情報を一時的に順次格納することにより、第２記録媒体をバッファとして利用できる。そして、この格納と並行して或いはこの格納に若干遅れて、コンテンツ情報を順次再生することで、第１電子機器から第２電子機器への再生切替を容易に行える。或いは、第２記録媒体に、例えば曲ごと或いはアルバムごと等の単位で送信されたコンテンツ情報を格納できる。即ち、例えば著作権等に問題がない範囲において、再生切替に相前後して、コンテンツ情報を第１記録媒体から第２記録媒体にコピーすることで、当該再生切替を円滑に行うことに加えて、第１電子機器から独立しての第２電子機器による再生を実行可能となる。
【００１８】
本発明の電子機器セットの他の態様では、前記第１再生手段が前記再生を停止する際に、前記第２再生手段は、前記再生を切れ目無く開始する。
【００１９】
この態様によれば、第１再生手段から第２再生手段への再生切替を切れ目無く行うことにより、例えば野外から車内に乗り込んだユーザは、違和感なく鑑賞を継続できる。
【００２０】
尚、このように切れ目なく再生を開始することは、前述の態様の如く、第２電子機器にバッファとして機能する第２記録媒体を備えておくことにより技術的に容易となる。但し、例えば、第１電子機器側で、再生中のコンテンツ情報に僅かに先行して或いは遅延なく当該再生中のコンテンツ情報を送信することにより、第２電子機器側にバッファを備えなくても、このような切れ目のない再生は技術的に可能である。また、実用上は、このような再生の切れ目を、ユーザが知覚できない時間内或いはユーザが許容可能な時間範囲内に収めれば、十分である。
【００２１】
或いは本発明の電子機器セットの他の態様では、前記第１再生手段が前記再生を停止する際に、前記第２再生手段は、前記再生を所定量だけ重ねて開始する又は前記停止されたコンテンツ情報における停止個所を含む所定単位の冒頭から前記再生を開始する。
【００２２】
この態様によれば、第１再生手段から第２再生手段への再生切替を若干重ねて行うことにより、或いは再生途中の楽曲など再生途中のコンテンツ情報を冒頭から再び開始することにより、例えば野外から車内に乗り込んだユーザは、ヘッドフォンを外す作業中等に、コンテンツ情報を部分的に鑑賞できない事態を回避できる。
【００２３】
本発明の電子機器セットの他の態様では、前記第１及び第２電子機器が所定範囲内まで相互に接近すると、前記第１及び第２通信手段間における通信接続が確立され、該通信接続が確立されると、前記制御信号の授受が行われる。
【００２４】
この態様によれば、第１電子機器の電源投入中や第１電子機器におけるコンテンツ情報の再生中は、第１通信手段は例えば、定期的に或いは不定期に、無線通信電波の届く範囲内などの所定範囲内に通信接続可能な第２通信手段が存在するか否かの監視を続ける。他方、第２電子機器の電源投入中は、第２通信手段は例えば、定期的に或いは不定期に、無線通信電波の届く範囲内などの所定範囲内に通信接続可能な第１通信手段が存在するか否かの監視を続ける。そして、第１及び第２電子機器が所定範囲内まで相互に接近すると、第１及び第２通信手段間における通信接続が確立される。このように通信接続が確立されると、第１及び第２制御手段間で制御信号の授受が行われる。これにより、第１再生手段がコンテンツ情報の再生を停止するのに対応して、第２再生手段による当該コンテンツ情報の再生が開始される。よって、ユーザからすると、例えば車内へ乗り込んだ際や自宅へ戻った際に、第１電子機器から第２電子機器への再生切替が自動的に行われるので、大変便利である。
【００２５】
尚、このような第１及び第２通信手段間における通信接続は、例えばブルートゥース（Ｂｌｕｅｔｏｏｔｈ）等の通信規格に基づいて行われる。
【００２６】
本発明の電子機器セットの他の態様では、前記第１及び第２電子機器間の接近状態が所定基準に従って検知された場合に、前記第１再生手段が前記再生を停止すると共に前記第２再生手段が前記再生を開始するように前記制御信号の授受が行われる。
【００２７】
この態様によれば、第１電子機器の電源投入中や第１電子機器におけるコンテンツ情報の再生中は、第１電子機器に備えられた第１通信手段又は他の検知手段により、或いはこれに加えて又は代えて第２電子機器に備えられた第２通信手段又は他の検知手段により、第１及び第２電子機器間の接近状態が所定基準に従って、定期的に又は不定期に監視される。そして、接近状態が検知された場合には、第１及び第２制御手段間で制御信号の授受が行われ、第１再生手段がコンテンツ情報の再生を停止するのに対応して、第２再生手段による当該コンテンツ情報の再生が開始される。よって、ユーザからすると、例えば車内へ乗り込んだ際や自宅へ戻った際に、第１電子機器から第２電子機器への再生切替が自動的に行われるので、大変便利である。
【００２８】
この態様では、前記第１及び前記第２制御手段のうち少なくとも一方が、前記第１及び第２通信手段間の通信状態に基づいて前記接近状態の検知を行うように構成してもよい。
【００２９】
このように構成すれば、例えば、通信接続確立後における第１及び第２通信手段間で送受信される無線電波の強度など、第１及び第２通信手段間の通信状態に基づいて、例えば第１及び第２電子機器が数メートル以内に存在する等の接近状態が検知される。よって、第１及び第２通信手段を、接近状態を検知するための手段としても利用できるので便利である。
【００３０】
但し、第１及び第２電子機器に代えて、特定電磁波の発信器及び受信機など、接近状態を電磁気学的、光学的、物理的等に検知するための公知の検知手段を別途備えることも可能である。
【００３１】
本発明の電子機器セットの他の態様では、前記第１及び第２電子機器のうち少なくとも一方は、予め設定された誘引事象を検出する検出手段を更に備え、該誘引事象が検出されると、前記第１再生手段による再生を停止し、前記第２再生手段による再生を開始するように前記制御信号の授受が行われる。
【００３２】
この態様によれば、例えば、第２電子機器における人間の存在を示すような振動や音、光などの発生、第２電子機器におけるメイン電源の投入などの誘引事象が検出手段によって検出される。すると、第１及び第２制御手段間で制御信号の授受が行われ、第１再生手段がコンテンツ情報の再生を停止するのに対応して、第２再生手段による当該コンテンツ情報の再生が開始される。よって、ユーザからすると、例えば車内へ乗り込んだ際や自宅へ戻った際に、第１電子機器から第２電子機器への再生切替が自動的に或いは簡単な操作により行われるので、大変便利である。
【００３３】
尚、このような誘引事象とは、第１電子機器及び前記第２電子機器のうち少なくとも一方に対する所定種類の命令入力操作もよく、例えば、特定命令の音声入力や特定操作ボタンの操作等でもよい。
【００３４】
本発明の電子機器セットの他の態様では、前記第１電子機器は、一又は複数の前記第２電子機器を識別する識別コードを保持する第１不揮発性メモリを更に備え、前記第１通信手段は、前記第１不揮発性メモリに保持された識別コードに基づいて前記第２通信手段との無線通信を行う。
【００３５】
この態様によれば、第１電子機器は、第１不揮発性メモリに保持された一又は複数の第２電子機器を識別する識別コードに基づいて、例えばユーザ所有の電子機器セットをなすなど、予め想定された第１及び第２通信手段間で通信接続を的確に確立できる。逆に、第三者所有の第２電子機器に接近等しても誤動作する可能性を低減できる。
【００３６】
この態様では、前記第１不揮発性メモリは、前記第２電子機器との接続条件を規定する接続条件データを前記識別コードに対応付けて保持するように構成してもよい。
【００３７】
この態様によれば、第１不揮発性メモリに、例えばテーブル形式で識別コードに対応付けて保持された接続条件データに従って、複数の第１及び第２電子機器の間で所望の対を電子機器セットとして構築できる。より具体的には、例えば一の第１電子機器と複数の第２電子機器のいずれかとを電子機器セットとして構築する際に、複数の第２電子機器と同時に通信接続可能な状況における第２電子機器として制御信号の授受を行う優先順などの接続条件を予め設定しておく。これにより、複数の第１及び第２電子機器の間で所望の対を電子機器セットとして構築できる。更に優先順以外にも、前述の態様における接近状態の所定範囲、接続対象の機種の限定、自動的に接続を切り替えて良いか否かのモード設定等の各種接続条件を設定してもよい。
【００３８】
本発明の電子機器セットの他の態様では、前記第２電子機器は、一又は複数の前記第１電子機器を識別する識別コードを保持する第２不揮発性メモリを更に備え、前記第２通信手段は、前記第２不揮発性メモリに保持された識別コードに基づいて前記第１通信手段との無線通信を行う。
【００３９】
この態様によれば、第２電子機器は、第２不揮発性メモリに保持された一又は複数の第１電子機器を識別する識別コードに基づいて、例えばユーザ所有の電子機器セットをなすなど、予め想定された第１及び第２通信手段間で通信接続を的確に確立できる。逆に、第三者所有の第１電子機器に接近等しても誤動作する可能性を低減できる。
【００４０】
この態様では、前記第２不揮発性メモリは、前記第２電子機器との接続条件を規定する接続条件データを前記識別コードに対応付けて保持するように構成してもよい。
【００４１】
この態様によれば、第２不揮発性メモリに、例えばテーブル形式で識別コードに対応付けて保持された接続条件データに従って、複数の第１及び第２電子機器の間で所望の対を電子機器セットとして構築できる。より具体的には、例えば複数の第１電子機器のいずれかと一の第２電子機器とを電子機器セットして構築する際に、複数の第１電子機器と同時に通信接続可能な状況における第１電子機器として制御信号の授受を行う優先順などの接続条件を予め設定しておく。これにより、複数の第１及び第２電子機器の間で所望の対を電子機器セットとして構築できる。更に優先順以外にも、前述の態様における接近状態の所定範囲、接続対象の機種の限定、自動的に接続を切り替えて良いか否かのモード設定等の各種接続条件を設定してもよい。
【００４２】
本発明の電子機器セットの他の態様では、前記第１及び第２電子機器間の離間状態が所定基準に従って検知された場合に、前記第２再生手段が前記再生を停止すると共に前記第１再生手段が前記再生を再開する。
【００４３】
この態様によれば、第１電子機器の電源投入中は、第１電子機器に備えられた第１通信手段又は他の検知手段により、或いはこれに加えて又は代えて第２電子機器に備えられた第２通信手段又は他の検知手段により、第１及び第２電子機器間の離間状態が所定基準に従って、定期的に又は不定期に監視される。そして、離間状態が検知された場合には、第２再生手段による再生が停止され、第１再生手段による再生が再開される。よって、ユーザからすると、例えば車から降りて野外へ出たり、自宅から野外へ出た際に、第２電子機器から第１電子機器への再生切替が自動的に行われるので、大変便利である。
【００４４】
尚、このような離間状態の検知は、例えば、第１及び第２制御手段のうち少なくとも一方が、第１及び第２通信手段間の通信状態に基づいて行えばよい。より具体的には、第１及び第２通信手段間で送受信される無線電波の強度など、第１及び第２通信手段間の通信状態に基づいて、例えば第１及び第２電子機器が数メートル以上離間した等の離間状態が検知される。よって、第１及び第２通信手段を、離間状態を検知するための手段としても利用できるので便利である。
【００４５】
但し、第１及び第２電子機器に代えて、特定電磁波の発信器及び受信機など、離間状態を電磁気学的、光学的、物理的等に検知するための公知の検知手段を別途備えることも可能である。更に、このような離間状態の検知手段は、前述した接近状態を検知する検知手段と兼用可能である。
【００４６】
或いは本発明の電子機器セットの他の態様では、前記第１及び第２電子機器が所定範囲外まで相互に離間すると、前記第１及び第２通信手段間における通信接続が切れ、該通信接続が切れると、前記第２再生手段が前記再生を停止すると共に前記第１再生手段が前記再生を再開する。
【００４７】
この態様によれば、第１電子機器の電源投入中は、第１通信手段は例えば、定期的に或いは不定期に、無線通信電波の届く範囲外などの所定範囲外まで第２電子機器が離間したか否かの監視を続ける。他方、第２電子機器の電源投入中は、第２通信手段は例えば、定期的に或いは不定期に、無線通信電波の届く範囲外などの所定範囲外に第１電子機器が離間したか否かの監視を続ける。そして、第１及び第２電子機器が所定範囲外まで相互に離間すると、第１及び第２通信手段間における通信接続が切れる。そして、第２再生手段による再生が停止され、第１再生手段による再生が再開される。よって、ユーザからすると、例えば車外へ降りた際や自宅から外出した際に、第２電子機器から第１電子機器への再生切替が自動的に行われるので、大変便利である。
【００４８】
尚、このような第１及び第２通信手段間における通信接続は、例えばブルートゥース等の通信規格に基づいて行われる。
【００４９】
本発明の他の電子機器セットは上記課題を解決するために、第１及び第２電子機器を含む電子機器セットであって、第１電子機器は、コンテンツ情報を再生可能な第１再生手段と、該第１再生手段の再生の開始及び停止を制御する第１制御手段と、無線通信可能な第１通信手段とを備え、前記第２電子機器は、前記第１通信手段との間で双方向に無線通信可能な第２通信手段と、前記コンテンツ情報を再生可能な第２再生手段と、該第２再生手段の再生の開始及び停止を制御する第２制御手段とを備え、前記第１電子機器は、前記第１又は第２再生手段による前記コンテンツ情報の再生を途中で停止した停止個所を示す停止個所情報を格納する第１記録媒体を更に備えており、前記第１及び第２電子機器が所定範囲内まで相互に接近すると、前記第１及び第２通信手段間における通信接続が確立され、該通信接続が確立されると、前記通信手段は、少なくとも前記停止個所情報を前記第２通信手段に送信し、前記第２通信手段は、少なくとも前記停止個所情報を受信し、前記第２通信手段は、前記２制御手段による制御下で、前記第２再生手段による前記コンテンツ情報の再生を、前記受信された停止個所情報に基づく前記停止個所から開始する。
【００５０】
本発明の他の電子機器セットによれば、その動作時には、先ず第１電子機器において、第１制御手段による制御下で、コンテンツ情報の再生が第１再生手段によって行われる。これにより、ユーザは、例えば歩きながらイヤフォンやヘッドフォンを介してコンテンツ情報を鑑賞する。或いは、これに加えて又は代えて、例えば小型画面を見てコンテンツ情報を鑑賞する。そして、この鑑賞の最中に、ユーザによって、任意の時点で当該コンテンツ情報の再生が停止される。例えば、騒音の大きいエリアに入ったり、人に有ったり一時的に会話をする場合などで停止される。この際、停止個所を示す停止個所情報は、第１記録媒体に格納される、その後、例えば前述の各種態様の如く第２電子機器の付近に来ると自動的に或いは予め設定されたユーザ操作によって、第１及び第２制御手段間で通信接続が確立される。すると、停止個所情報が第１通信手段から第２通信手段へ送信され、第２制御手段による制御下で第２再生手段による当該コンテンツ情報の再生が、受信された停止個所情報に基づく停止個所から開始される。
【００５１】
よって、野外で、ポータブルプレーヤ等の第１電子機器を使ってコンテンツ情報を鑑賞し、これを途中停止したユーザが、その後、車載型プレーヤ等の第２電子機器が設置された自動車内等に乗り込む場合や、据置型プレーヤ等の第２電子機器が設置された住宅内等に入り込む場合に、ユーザは面倒な手動操作を殆ど又は全く行う必要なしに、当該鑑賞途中にあるコンテンツ情報を、第２電子機器を使って、鑑賞し続けることができる。
【００５２】
本発明の他の電子機器セットの一態様では、前記第１記録媒体は、前記コンテンツ情報を前記停止個所情報に対応付けて格納し、前記第１通信手段は、前記通信接続が確立されると、前記停止個所情報と共に前記コンテンツ情報を送信し、前記第２通信手段は、前記送信されたコンテンツ情報を受信し、前記第２再生手段は、前記受信されたコンテンツ情報の再生を、前記停止個所から開始する。
【００５３】
この態様によれば、第１及び第２通信手段間で通信接続が確立されると、第１記録媒体に格納されたコンテンツ情報が停止個所情報と共に送信される。更に、受信されたコンテンツ情報が、受信された停止個所情報に基づく停止個所から再生される。よって、同一のコンテンツ情報源を用いて、第１再生手段からの再生出力を、第２再生手段からの再生出力に効率良く切り替えることが可能となる。
【００５４】
尚、上述した本発明の電子機器セットにおける各種態様に対応して、本発明の他の電子機器セットも各種態様を採ることが可能である。
【００５５】
本発明のコンピュータプログラムは上記課題を解決するために、コンピュータを上述した本発明の電子機器セット（但し、その各種態様も含む）或いは他の電子機器セットを構成する少なくとも第１又は第２制御手段として機能させる。
【００５６】
本発明のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明に係る第１制御手段や第２制御手段を比較的簡単に実現できる。
【００５７】
本発明の第１電子機器は上記課題を解決するために、無線通信可能な第２通信手段と、前記コンテンツ情報を再生可能な第２再生手段と、該第２再生手段の再生の開始及び停止を制御する第２制御手段とを備えた前記第２電子機器と対で電子機器セットをなす第１電子機器であって、コンテンツ情報を再生可能な第１再生手段と、該第１再生手段の再生の開始及び停止を制御する第１制御手段と、前記第２通信手段との間で双方向に無線通信可能な第１通信手段とを備え、前記第１制御手段による制御下で前記第１再生手段による前記コンテンツ情報の再生を停止した際に、前記２制御手段による制御下で前記第２再生手段による前記コンテンツ情報の再生を開始するように、前記第１及び第２制御手段間で制御信号の授受が前記第１及び第２通信手段を介して行われる。
【００５８】
本発明の第１電子機器によれば、上述した本発明の第２電子機器と対で用いることにより、上述した本発明の電子機器セットと同様の技術的な作用効果が得られる。この際、第１電子機器単体での製造や販売、或いは使用も可能である。
【００５９】
尚、上述した本発明の電子機器セットにおける各種態様に対応して、本発明の第１電子機器も各種態様を採ることが可能である。
【００６０】
本発明の第２電子機器は上記課題を解決するために、コンテンツ情報を再生可能な第１再生手段と、該第１再生手段の再生の開始及び停止を制御する第１制御手段と、無線通信可能な第１通信手段とを備えた第１電子機器と対で電子機器セットをなす第２電子機器であって、前記第１通信手段との間で双方向に無線通信可能な第２通信手段と、前記コンテンツ情報を再生可能な第２再生手段と、該第２再生手段の再生の開始及び停止を制御する第２制御手段とを備え、前記第１制御手段による制御下で前記第１再生手段による前記コンテンツ情報の再生を停止した際に、前記２制御手段による制御下で前記第２再生手段による前記コンテンツ情報の再生を開始するように、前記第１及び第２制御手段間で制御信号の授受が前記第１及び第２通信手段を介して行われる。
【００６１】
本発明の第２電子機器によれば、上述した本発明の第１電子機器と対で用いることにより、上述した本発明の電子機器セットと同様の技術的な作用効果が得られる。この際、第２電子機器単体での製造や販売、或いは使用も可能である。
【００６２】
尚、上述した本発明の電子機器セットにおける各種態様に対応して、本発明の第２電子機器も各種態様を採ることが可能である。
【００６３】
本発明のこのような作用及び他の利得は次に説明する実施の形態から明らかにされる。
【００６４】
【発明の実施の形態】
以下、本発明の実施形態を図面に基づいて説明する。以下の実施形態では、第１電子機器が、コンテンツ情報の一例として音声データを再生可能なポータブルオーディオプレーヤからなり、第２電子機器が、同じく音声データを再生可能な車載型オーディオプレーヤからなり、これらの第１及び第２電子機器から電子機器セットが構成されている。
【００６５】
（第１実施形態）
先ず第１実施形態の電子機器セットの構成について図１を参照して説明する。ここに、図１は、電子機器セットのブロック図である。
【００６６】
図１に示すように、電子機器セットは、第１電子機器の一例たるポータブルオーディオプレーヤ１００と車載型オーディオプレーヤ２００とを含んで構成されている。
【００６７】
図１の上半分に示すように、ポータブルオーディオプレーヤ１００は、ヘッドフォン１０、アンプ１２、デコーダ１４、マイコン１６、記録装置２０、メモリ２２、無線通信装置２４及び操作部２６を含んで構成されている。
【００６８】
ヘッドフォン１０は、アンプ１２から出力される電気的な音声信号を音波として出力する。尚、ヘッドフォン１０の代わりにイヤフォンが取り付けられてもよいし、スピーカが取り付けられてもよい。アンプ１２は、アナログ化された音声信号の増幅を行い、ヘッドフォン１０に送る。デコーダ１４は、マイコンを介して供給されるデジタル化された音声データを、アナログ化された音声データに復号化してアンプ１２に送るように構成されている。
【００６９】
本実施形態では、本発明に係る第１再生手段の一例が、ヘッドフォン１０、アンプ１２及びデコーダ１４から構成されている。
【００７０】
マイコン１６は、ポータブルオーディオプレーヤ１００全体の制御を行なう。
【００７１】
記憶装置２０は、例えば、ＣＤ、ＤＶＤ、ＭＤ、メモリスティック、メモリカード等のリムーバルな記録メディアを含んでなる装置であってもよいし、例えば、ハードディスク、ＲＡＭ等のリムーバルでない記録メディアを含んでなる装置であってもよい。記憶装置２０は、コンテンツ情報として、複数の楽曲や音楽アルバム等を含む音声情報がデジタル化された音声データを格納する。好ましくは、記憶装置２０は、各音声データの検索が容易になるように整理した形で格納しており、選曲のための楽曲リストも格納されている。
【００７２】
記憶装置２０に格納された音声データは、ポータブルオーディオプレーヤ１００における再生中には、マイコン１６を介してデコーダ１４に供給される。他方、記憶装置２０に格納された音声データは、電子機器セット間において接続が確立されている場合には、マイコン１６を介して無線通信装置２４に供給される。
【００７３】
メモリ２２は、マイコン１６の高速演算処理のためのＲＡＭ（Ｒａｎｄｏｍ　Ａｃｃｅｓｓ　Ｍｅｍｏｒｙ）等からなる一般的なメモリであり、コンピュータプログラムに作業領域を提供したり、コンピュータプログラムを格納したりする。更に、記憶装置２０から読み出した音声データを、再生用又は送信用に、即ちデコーダ１４でデコードする前に又は無線通信装置２４で送信する前に、一時記憶するように構成されている。
【００７４】
本実施形態では特に、本発明に係る第１制御手段の一例が、マイコン１６から構成されおり、第１記録媒体の一例が、記録装置２０から構成されている。
【００７５】
第１通信手段の一例たる無線通信装置２４は、例えばブルートゥース等の通信規格に基づいて双方向通信可能に構成されている。尚、無線通信装置２４は、例えばＩＥＥＥ８０２．１１方式等の通信規格に基づく無線ＬＡＮで構成してもよく、近距離無線通信を行うような通信形態であればいずれの形態で構成してもよい。
【００７６】
操作部２６は、ＬＣＤ（Ｌｉｑｕｉｄ　Ｃｒｙｓｔａｌ　Ｄｉｓｐｌａｙ：液晶表示装置）、ＥＬ（Ｅｌｅｃｔｒｏｌｕｍｉｎｅｓｃｅｎｃｅ：エレクトロルミネセンス）装置等の表示装置と、タッチパネル、ボタン、キー等の操作盤とを含む。操作部２６を介して、ユーザは、ポータブルオーディオプレーヤ１００を操作するための入力作業と確認作業が可能となるように構成されている。
【００７７】
マイコン１６には、不揮発性のメモリ１６ｍが内蔵されており、メモリ１６ｍ内には、個々の車載型オーディオプレーヤ２００や他の据置型オーディオプレーヤ等を個別に識別するための識別コードを保持すると共に、個々の車載型オーディオプレーヤ２００等との接続条件を規定する接続条件データを識別コードに対応付けて保持する。
【００７８】
図１の下半分に示すように、車載型オーディオプレーヤ２００は、スピーカ５０、アンプ５２、デコーダ５４、マイコン５６、ＣＤドライブ６０、メモリ６２、無線通信装置６４、操作部６６、チューナ６８及び制御部７０を含んで構成されている。
【００７９】
スピーカ５０は、アンプ５２から出力される電気的な音声信号を音波として出力する。アンプ５２は、アナログ化された音声信号の増幅を行い、スピーカ５０に送る。デコーダ５４は、デジタル化された音声データを、アナログ化された音声データに復号化してアンプ５２に送るように構成されている。
【００８０】
本実施形態では特に、本発明に係る第２再生手段の一例が、スピーカ５０、アンプ５２及びデコーダ５４から構成されている。
【００８１】
マイコン５６は、車載型オーディオプレーヤ２００全体の制御を行なうが、主に受信したコンテンツ情報の再生に係わる制御を司る。
【００８２】
ＣＤドライブ６０は、コンテンツ情報として、複数の楽曲や音楽アルバム等を含む音声情報がデジタル化された音声データを格納するＣＤがセットされる。尚、ＣＤドライブ６０に代えて又は加えて、ＤＶＤドライブが備えられてもよいし、ＣＤ・ＤＶＤコンパチブルのドライブが備えられてもよい。また、ＣＤドライブ６０は、マイコン５６を以下に説明する如く動作させるためのコンピュータプログラムを格納するＣＤから、当該コンピュータプログラムを読み込んでもよい。
【００８３】
メモリ６２は、マイコン５６の高速演算処理のためのＲＡＭ等からなる一般的なメモリであり、コンピュータプログラムに作業領域を提供したり、コンピュータプログラムを格納したりする。更に、再生用又は受信用に、ＣＤドライブ６０から読み出した音声データや、無線通信装置６４が受信する音声データを一時記憶するように構成されている。
【００８４】
本実施形態では特に、本発明に係る第２制御手段の一例が、マイコン５６から構成されおり、第２記録媒体の一例が、メモリ６２から構成されている。
【００８５】
第２通信手段の一例たる無線通信装置６４は、例えばブルートゥース等の通信規格に基づいて双方向通信可能に構成されている。
【００８６】
操作部６６は、ＬＣＤ、ＥＬ装置等の表示装置と、タッチパネル、ボタン、キー等の操作盤とを含む。操作部６６を介して、ユーザは、車載型オーディオプレーヤ２００を操作するための入力作業と確認作業が可能となるように構成されている。操作部６６は、制御部７０に対して所定種類のコマンドを入力可能に構成されているが、マイコン５６に対して所定種類のコマンドを入力可能に構成されてもよい。
【００８７】
マイコン５６には、不揮発性のメモリ５６ｍが内蔵されており、メモリ５６ｍ内には、個々のポータブルオーディオプレーヤ１００を個別に識別するための識別コードを保持すると共に、個々のポータブルオーディオプレーヤ１００との接続条件を規定する接続条件データを識別コードに対応付けて保持する。
【００８８】
チューナ６８は、制御部７０による制御下で、ラジオ放送に係る所定周波数の電波を選択的に受信して、アナログ化された音声データをアンプ５２に送る。
【００８９】
制御部７０は、操作部６６から入力されるコマンドに応じて、ＣＤドライブ６０、チューナ６８及びマイコン５６を制御する。但し、マイコン５６と制御部７０とは、同一のマイコンから構成されてもよい。
【００９０】
図１において本実施形態では特に、ポータブルオーディオプレーヤ１００が車載型オーディオプレーヤ２００に接近した際には、ポータブルオーディオプレーヤ１００のマイコン１６と車載型オーディオプレーヤ２００側のマイコン５６とは、無線通信装置２４及び６４を介して、例えばブルートゥース規格により双方向の無線通信接続を確立する。そして、ポータブルオーディオプレーヤ１００側では、マイコン１６は、デコーダ１４等による音声データの再生の開始及び停止を制御し、車載型オーディオプレーヤ２００側では、マイコン５６は、デコーダ５４等による音声データの再生の開始及び停止を制御する。ここで、マイコン１６による制御下でデコーダ１４等による音声データの再生を停止した際に、マイコン５６による制御下でデコーダ５４等による音声データの再生を開始するように、マイコン１６及びマイコン５６間で制御信号Ｓｃの授受が、無線通信装置２４及び６４を介して行われる。更に、ポータブルオーディオプレーヤ１００においてデコーダ１４等による音声データの再生を停止した際には、無線通信装置２４は、マイコン１６を介して記憶装置２０から読み出された音声データを車載型オーディオプレーヤ２００側の無線通信装置６４に送信する。そして、車載型オーディオプレーヤ２００においてデコーダ５４等により、無線通信装置６４で受信された音声データをメモリ６２を介して或いは直接再生するように構成されている。
【００９１】
ポータブルオーディオプレーヤ１００側のマイコン１６を、以下に説明する如き制御動作を行う本発明に係る第１制御手段として機能させるコンピュータプログラムは、記憶装置２０、メモリ２２等に格納されていてもよく、無線通信装置２４等を介してダウンロードされたものでもよい。
【００９２】
車載型オーディオプレーヤ２００側のマイコン５６を、以下に説明する如き制御動作を行う本発明に係る第２制御手段として機能させるコンピュータプログラムは、ＣＤドライブ６０内のＣＤ、メモリ６２等に格納されていてもよく、無線通信装置６４等を介してダウンロードされたものでもよい。
【００９３】
次に図２及び図３を参照して本実施形態の動作について詳述する。ここに、図２は、ポータブルオーディオプレーヤ１００の動作を示すフローチャートであり、図３は、車載型オーディオプレーヤ２００の動作を示すフローチャートである。ここでは、以上の如く構成されたポータブルオーディオプレーヤ１００をユーザが野外で鑑賞しており、その後、車載型オーディオプレーヤ２００が搭載された車内に乗り込む場合における動作について説明する。
【００９４】
図２において、ポータブルオーディオプレーヤ１００側では先ず、操作部２６からの再生開始コマンドの入力に応じて、マイコン１６による制御下で、記憶装置２０に格納された音声データのうち所望のものが、ここから読み出される。更に、読み出された音声データは、バッファとして機能するメモリ２２を介してデコーダ１４に供給される。そして、音声データの再生が、デコーダ１４、アンプ１２及びヘッドフォン１０によって行われる（ステップＳ１０）。これにより、ユーザは、例えば歩きながらヘッドフォン１０を介して音楽を鑑賞する。
【００９５】
この鑑賞の最中に、マイコン１６による制御下で、車載型オーディオプレーヤ２００を検出する検出処理が、定期的に或いは不定期に行われ（ステップＳ１１）、車載型オーディオプレーヤ２００が検出されたか否かが判定される（ステップＳ１２）。ここでは、例えば無線通信装置２４と無線通信装置６４との間で、所定強度以上の無線通信用の電波が授受可能であるか否かに応じて、このような検出が行われる。但し、これに加えて或いは代えて、ポータブルオーディオプレーヤ１００と車載型オーディオプレーヤ２００との相互間の距離を電磁気的、光学的、物理的等に検出する装置を、ポータブルオーディオプレーヤ１００に別途設けてもよい。
【００９６】
そして、車載型オーディオプレーヤ２００が検出されない限り（ステップＳ１２：Ｎｏ）、ポータブルオーディオプレーヤ１００における再生は通常通りに続行される。
【００９７】
他方、車載型オーディオプレーヤ２００が検出されると（ステップＳ１２：Ｙｅｓ）、無線通信装置２４と無線通信装置６４とを介して、マイコン１６とマイコン５６との間で接続処理が実行される（ステップＳ１３）。ここでは、マイコン１６とマイコン５６との間で通信接続を確立するための制御信号の授受が双方向に行われ、例えば、相手方のプレーヤに個別に付与された識別コードの認証等が実行される。例えば、ユーザ所有の車載型オーディオプレーヤでなければ、不揮発性メモリ１６ｍ内に、対をなす車載型オーディオプレーヤ２００として予め登録された識別コードに合わないため、接続処理は完了しないことになる。
【００９８】
続いて、このような接続処理が完了しなければ（ステップＳ１４：Ｎｏ）、ステップＳ１１の処理に戻って、ポータブルオーディオプレーヤ１００における再生は通常通りに続行され、これと共に、車載型オーディオプレーヤ２００の検出処理が続行される。
【００９９】
他方、マイコン１６とマイコン５６との間で接続処理が完了すると（ステップＳ１４：Ｙｅｓ）、メモリ２２に蓄積されていた音声データ或いは記憶装置２０からメモリ２２に更に読み込まれる音声データを、無線通信装置２４から送信する（ステップＳ１５）。これと同時に或いは僅かに相前後して、メモリ２２に蓄積された音声データの一部のみ再生を行った後に当該再生を停止する再生停止処理を行う（ステップＳ１６）。このステップＳ１５で送信される音声データの存在によって、音声データの再生に切れ目が無いように、プレーヤ切替を実行できる。即ち、データ送信処理（ステップＳ１５）及び再生停止処理（ステップＳ１６）に対応して、後述するように車載型オーディオプレーヤ２００における再生が開始されるのである。
【０１００】
更に、デコーダ１４等による再生が完全に停止した後にも、このようなデータ送信は、続行される（ステップＳ１７）。
【０１０１】
そして、電波の微弱化等に起因して、マイコン１６とマイコン５６との間で一旦確立された通信接続が切断されるか否かがマイコン１６によりモニタリングされ（ステップＳ１８）、切断されない限り（ステップＳ１８：Ｎｏ）、ステップＳ１７における音声データの送信が続行される。
【０１０２】
他方、電波の微弱化等に起因して、マイコン１６とマイコン５６との間の通信接続が切断されると（ステップＳ１８：Ｙｅｓ）、先ずは、再接続処理が試みられる（ステップＳ１９）。この再接続処理の期間にも、車載型オーディオプレーヤ２００側では、既に無線通信装置２４から送信され且つ無線通信装置６４に受信され、メモリ６２に蓄積された所定量の音声データを再生し続けることができるので、直ぐに再生が途切れる事態には陥らないで済む。
【０１０３】
そして、再接続処理が失敗しなければ（ステップＳ２０：Ｎｏ）、車載型オーディオプレーヤ２００側での再生が可能であるので、ステップＳ１７に戻って、データ送信が続行される。
【０１０４】
他方、再接続処理が失敗すると（ステップＳ２０：Ｙｅｓ）、車載型オーディオプレーヤ２００側での再生が不可能であるので、当該再生中の音声データの再生を、ポータブルオーディオプレーヤ１００側で終了すべきか否かが、終了コマンドの入力等により判定される（ステップＳ２２）。
【０１０５】
この判定の結果、終了すべきであれば（ステップＳ２２：Ｙｅｓ）、ポータブルオーディオプレーヤ１００は、一連の再生及び送信処理を終了する。
【０１０６】
他方、この判定の結果、終了すべきでなければ（ステップＳ２２：Ｎｏ）、ポータブルオーディオプレーヤ１００は、再び、再生中の音声データを、メモリ２２から無線送信装置２４で送信するのに代えて、メモリ２２からデコーダ１４への供給を開始する。これにより、デコーダ１４、アンプ１２及びヘッドフォン１０を用いた音声データの再生が、切れ目無く再開される（ステップＳ２１）。その後、ステップＳ１１以降の処理が繰り返される。
【０１０７】
尚、前述の如くポータブルオーディオプレーヤ１００側のメモリ２２をバッファとして機能させると共に、車載型オーディオプレーヤ２００側のメモリ６２をバッファとして機能させることにより、双方のバッファを空にしない期間内で、再生停止及び再生開始を同時に行えば、比較的容易にして音声データの再生に切れ目が無いようにプレーヤ切替を実行できる。
【０１０８】
図３において、車載型オーディオプレーヤ２００側では先ず、電源投入時等にマイコン５６による制御下で、ポータブルオーディオプレーヤ１００を検出する検出処理が、定期的に或いは不定期に行われ（ステップＳ３１）、ポータブルオーディオプレーヤ１００が検出されたか否かが判定される（ステップＳ３２）。ここでは、例えば無線通信装置６４と無線通信装置２４との間で、所定強度以上の無線通信用の電波が授受可能であるか否かに応じて、このような検出が行われる。但し、これに加えて或いは代えて、ポータブルオーディオプレーヤ１００と車載型オーディオプレーヤ２００との相互間の距離を電磁気的、光学的、物理的等に検出する装置を、車載型オーディオプレーヤ２００に別途設けてもよい。
【０１０９】
そして、ポータブルオーディオプレーヤ１００が検出されない限り（ステップＳ３２：Ｎｏ）、車載型オーディオプレーヤ２００における検出処理は続行される。
【０１１０】
他方、ポータブルオーディオプレーヤ１００が検出されると（ステップＳ３２：Ｙｅｓ）、無線通信装置６４と無線通信装置２４とを介して、マイコン５６とマイコン１６との間で接続処理が実行される（ステップＳ３３）。ここでは、マイコン５６とマイコン１６との間で通信接続を確立するための制御信号の授受が双方向に行われ、例えば、相手方のプレーヤに個別に付与された識別コードの認証等が実行される。
【０１１１】
続いて、このような接続処理が完了しなければ（ステップＳ３４：Ｎｏ）、ステップＳ３１の処理に戻って、車載型オーディオプレーヤ２００における検出処理は続行される。
【０１１２】
他方、マイコン５６とマイコン１６との間で接続処理が完了すると（ステップＳ３４：Ｙｅｓ）、例えば、その時点までに車載型オーディオプレーヤ２００にて再生していたＣＤ、ＤＶＤ、カセットテープ、ラジオ等の種別及びその再生状態等の、車載型オーディオプレーヤ２００における動作状態を示す状態データをメモリ６２等に保存しておく（ステップＳ３６）。例えば、いずれのＣＤの何曲目のどの部分を再生中であるかなどを示す状態データを保存しておく。
【０１１３】
続いて、無線通信装置６４によるデータ受信を開始すると共に（ステップＳ３７）、これと同時に或いは僅かに相前後して、受信された音声データの再生を開始する（ステップＳ３８）。具体的には、メモリ６２をバッファとして、無線通信装置６４で受信された音声データをデコーダ５４に供給する。これにより、デコーダ５４、アンプ５２及びスピーカ５０による受信された音声データの再生が開始される。そして、音声データのうち、ポータブルオーディオプレーヤ１００側でヘッドフォン１０が出力停止した先のところから、スピーカ５０により音として継続出力される。これにより、切れ目の無いプレーヤ切替が可能となる。
【０１１４】
尚、前述の如くポータブルオーディオプレーヤ１００側のメモリ２２をバッファとして機能させると共に、車載型オーディオプレーヤ２００側のメモリ６２をバッファとして機能させることにより、双方のバッファを空にしない期間内で、再生停止及び再生開始を同時に行えば、比較的容易にして音声データの再生に切れ目が無いようにプレーヤ切替を実行できる。
【０１１５】
更に、ポータブルオーディオプレーヤ１００側で再生が完全に停止した後にも、このようなデータ受信は続行され、これに並行して音声データの再生が続行される（ステップＳ３９）。
【０１１６】
この際、マイコン５６は、メモリ６２のメモリ残量をモニタリングし、これが適当なレベルにあるように、ポータブルオーディオプレーヤ１００側のマイコン１６に対して、無線通信装置６４及び無線通信装置２４を介して、音声データの送信を、定期的に或いは不定期に要求をする。更に、このようなデータ送信は、例えば、まとめて数秒間分や数分間分或いは曲ごと或いはアルバムごと等の任意の単位で送信してよい。
【０１１７】
そして、電波の微弱化等に起因して、マイコン５６とマイコン１６との間で一旦確立された通信接続が切断されるか否かがマイコン５６によりモニタリングされ（ステップＳ４０）、切断されない限り（ステップＳ４０：Ｎｏ）、ステップＳ３９における音声データの受信が続行され、音声データの再生が続行される。
【０１１８】
他方、電波の微弱化等に起因して、マイコン５６とマイコン１６との間の通信接続が切断されると（ステップＳ４０：Ｙｅｓ）、先ずは、再接続処理が試みられる（ステップＳ４１）。この再接続処理の期間にも、車載型オーディオプレーヤ２００側では、既に無線通信装置６４で受信し、メモリ６２に蓄積した所定量の音声データを再生し続けることができるので、直ぐに再生が途切れる事態には陥らないで済む。
【０１１９】
そして、再接続処理が失敗しなければ（ステップＳ４２：Ｎｏ）、ステップＳ３９に戻って、データ受信及びその再生が続行される。
【０１２０】
他方、再接続処理が失敗すると（ステップＳ４２：Ｙｅｓ）、ポータブルオーディオプレーヤ１００からの音声データを用いての再生が不可能となるので、音声データの再生を、車載型オーディオプレーヤ２００側で終了すべきか否かが、終了コマンドの入力等により判定される（ステップＳ４３）。
【０１２１】
この判定の結果、終了すべきであれば（ステップＳ４３：Ｙｅｓ）、車載型オーディオプレーヤ２００は、一連の再生及び送信処理を終了する。
【０１２２】
他方、この判定の結果、終了すべきでなければ（ステップＳ４３：Ｎｏ）、車載型オーディオプレーヤ２００は、再び、ステップＳ３４における接続完了時における動作状態に戻って、ＣＤ再生、ラジオ受信等を再開する（ステップＳ４４）。前述の如くステップＳ３６において状態データが保持されているので、このように以前の動作状態に戻って同じ動作を継続する処理は比較的簡単に実行できる。例えば、状態データに基づいて、ステップＳ３７で停止したＣＤの、停止した曲の、停止した部分から再生を再開してもよい。
【０１２３】
その後、ステップＳ３１に戻って、再び、ポータブルオーディオプレーヤ１００の検出処理を行う。
【０１２４】
以上詳細に説明したように第１実施形態によれば、ポータブルオーディオプレーヤ１００を使って音声データを鑑賞中のユーザが、車載型オーディオプレーヤ２００が設置された自動車内に乗り込む場合に、ユーザは面倒な手動操作を全く行うことなしに、当該鑑賞途中にある音声データを、車載型オーディオプレーヤ２００を使って鑑賞し続けることができる。
【０１２５】
加えて、上述した本実施形態に係るポータブルオーディオプレーヤ１００や車載型オーディオプレーヤ２００は、マイコン１６やマイコン５６に上述の再生停止及び再生開始に係る制御を行わせるコンピュータプログラムを夫々実行させることにより、比較的容易に実現可能である。具体的には、このようなコンピュータプログラムを、ＣＤ、ＤＶＤ等の記録媒体からロードしたり、通信ネットワークを介してダウンロードした後、このプログラムを実行させればよい。
【０１２６】
（第２実施形態）
次に本発明の第２実施形態について図４を参照して説明する。ここに図４は、第２実施形態におけるポータブルオーディオプレーヤ１００の動作を示すフローチャートである。尚、図４において、図２に示した第１実施形態と同様の処理には、同様のステップ番号を付し、それらの説明は適宜省略する。
【０１２７】
第２実施形態は、上述した第１実施形態と比べて、ポータブルオーディオプレーヤ１００におけるマイコン１６によるマイコン制御方法が異なる。具体的には、第２実施形態では、第１実施形態の如くポータブルオーディオプレーヤ１００側で再生中の音声データを停止したのと同時に車載型オーディオプレーヤ２００により再生させるのではなく、既にユーザの都合により任意の時点で途中で停止していた音声データの再生を、車載型オーディオプレーヤ２００により停止した個所から再開させるように構成されている。その他の構成及び動作については、上述した第１実施形態の場合と同様である。
【０１２８】
即ち図４に示すように、ポータブルオーディオプレーヤ１００では、先ずユーザの都合により途中で再生停止した音声データにおける停止個所を示す停止個所情報を、当該音声データに対応付けて、例えばマイコン１６内の不揮発性メモリ１６ｍ等のメモリに保持しておく（ステップＳ５０）。例えば、いずれのＣＤの何曲目のどの部分といった内容を示すデータと共に、その停止個所を示す停止個所情報を格納しておく。
【０１２９】
その後は、第１実施形態で説明したステップＳ１１〜Ｓ１４の処理が行われ、ステップＳ１４でポータブルオーディオプレーヤ１００及び車載型オーディオプレーヤ２００間の接続を完了した際には（ステップＳ１４：Ｙｅｓ）、ステップＳ１７に進んで、データ送信を行う。これにより、車載型オーディオプレーヤ２００側では、ポータブルオーディオプレーヤ１００側で以前に停止した個所から音声データの再生が開始される。以降は、第１実施形態で説明したステップＳ１８〜Ｓ２２の処理が行われる。
【０１３０】
特に、ステップＳ１７におけるデータ送信は、ステップＳ５０で保持された停止個所情報により示された停止個所以降の音声データを送信する。これにより、車載型オーディオプレーヤ２００側の処理としては、無線通信装置２４から送信された音声データを無線通信装置６４で受信して、これをそのまま再生すれば足りる。
【０１３１】
但し、ステップＳ１７におけるデータ送信は、停止個所情報を音声データに紐付けた形で送信してもよく、車載型オーディオプレーヤ２００側では、この受信した停止個所情報により示される停止個所以降から音声データを再生してもよい。
【０１３２】
以上詳細に説明したように第２実施形態によれば、ポータブルオーディオプレーヤ１００を使って音声データを鑑賞中のユーザが、例えば、騒音の大きいエリアに入ったり、人に有ったり一時的に会話をする場合などで再生を途中で停止した後に、車載型オーディオプレーヤ２００が設置された自動車内に乗り込む場合に、ユーザは面倒な手動操作を全く行うことなしに、当該鑑賞途中にある音声データを、車載型オーディオプレーヤ２００を使って、繰り返し無く鑑賞できる。
【０１３３】
尚、第２実施形態の一の使用形態として、ユーザは、ポータブルオーディオプレーヤ１００では再生を殆ど或いは全く行うことなく、その記憶装置２０に格納された音声データを、専ら一又は複数の車載型オーディオプレーヤ２００により更には自宅や施設内に配置された据置型オーディオプレーヤにより再生させることも可能である。
【０１３４】
（第３実施形態）
次に本発明の第３実施形態について図５を参照して説明する。ここに図５は、第３実施形態におけるポータブルオーディオプレーヤ１００の動作を示すフローチャートである。尚、図５において、図２に示した第１実施形態と同様の処理には、同様のステップ番号を付し、それらの説明は適宜省略する。
【０１３５】
第３実施形態は、上述した第１実施形態と比べて、ポータブルオーディオプレーヤ１００におけるマイコン１６によるマイコン制御方法が異なる。具体的には、第３実施形態では、第１実施形態の如くプレーヤを切替る環境が整った時点で自動的にその切替を実行するのではなく、この時点でポータブルオーディオプレーヤ１００側で一旦ユーザの希望を問いかける処理を行い、更に、通信接続が切断された時点でもポータブルオーディオプレーヤ１００側で一旦ユーザの希望を問いかける処理を行うように構成されている。その他の構成及び動作については、上述した第１実施形態の場合と同様である。
【０１３６】
即ち図５に示すように、第１実施形態で説明したステップＳ１０〜Ｓ１４の処理が行われ、ステップＳ１４でポータブルオーディオプレーヤ１００及び車載型オーディオプレーヤ２００間の接続を完了した際には、例えば、その接続を完了したことを示す通知音を鳴らしてユーザに対し操作入力を促し（ステップＳ１４：Ｙｅｓ）、そして、ポータブルオーディオプレーヤ１００の操作部２６において、切替コマンドの入力があるか否か判定される（ステップＳ６０）。ここでは、例えば、切替を希望する旨の予め設定された操作入力があれば、切替コマンドの入力ありと判定してもよいし、切替を希望しない旨の予め設定された操作入力がなければ、切替コマンドの入力ありと判定してもよい。また、予め決められたルールやモードの設定に従って、一定時間に亘って切替コマンドの入力がなければ、デフォールトとして切替コマンドの入力ありと判定してもよいし、切替コマンドの入力なしと判定してもよい。
【０１３７】
このステップＳ６０において、切替コマンドの入力がなければ（ステップＳ６０：Ｎｏ）、プレーヤの切替を行うことなくステップＳ１１へ戻る。
【０１３８】
他方、ステップＳ６０において、切替コマンドの入力があれば（ステップＳ６０：Ｙｅｓ）、第１実施形態で説明したステップＳ１５〜Ｓ２０の処理が行われる。その後、ステップＳ２０で再接続に失敗した場合には（ステップＳ２０：Ｙｅｓ）、ポータブルオーディオプレーヤ１００の操作部２６において、切替コマンドの入力があるか否かが判定される（ステップＳ６２）。そして、切替コマンドの入力があれば（ステップＳ６２：Ｙｅｓ）、第１実施形態で説明したステップＳ２１の処理が行われる。他方、切替コマンドの入力がなければ（ステップＳ６２：Ｎｏ）、ポータブルオーディオプレーヤ１００は、一連の再生及び送信処理を終了する。
【０１３９】
以上詳細に説明したように第３実施形態によれば、ポータブルオーディオプレーヤ１００を使って音声データを鑑賞中のユーザが、車載型オーディオプレーヤ２００が設置された自動車内に乗り込む場合に、ユーザは面倒な手動操作を殆ど又は全く行うことなしに、当該鑑賞途中にある音声データを、車載型オーディオプレーヤ２００を使って鑑賞し続けることができる。しかも、ユーザが切替を希望するか否かを、切替処理に反映させることができ、ユーザが意図しないプレーヤの切替を未然防止できる。
【０１４０】
（第４実施形態）
次に本発明の第４実施形態について図６を参照して説明する。ここに図６は、第４実施形態における車載型オーディオプレーヤ２００の動作を示すフローチャートである。尚、図６において、図３に示した第１実施形態と同様の処理には、同様のステップ番号を付し、それらの説明は適宜省略する。
【０１４１】
第４実施形態は、上述した第１実施形態と比べて、車載型オーディオプレーヤ２００におけるマイコン５６によるマイコン制御方法が異なる。具体的には、第４実施形態では、第１実施形態の如くプレーヤを切替る環境が整った時点で自動的にその切替を実行するのではなく、この時点で車載型オーディオプレーヤ２００側で一旦ユーザの希望を問いかける処理を行い、更に、通信接続が切断された時点でも車載型オーディオプレーヤ２００側で一旦ユーザの希望を問いかける処理を行うように構成されている。その他の構成及び動作については、上述した第１実施形態の場合と同様である。
【０１４２】
即ち図６に示すように、第１実施形態で説明したステップＳ３１〜Ｓ３４の処理が行われ、ステップＳ３４でポータブルオーディオプレーヤ１００及び車載型オーディオプレーヤ２００間の接続を完了した際には、例えば、その接続を完了したことを示す通知音を鳴らしてユーザに対し操作入力を促し（ステップＳ３４：Ｙｅｓ）、そして、車載型オーディオプレーヤ２００の操作部６６において、切替コマンドの入力があるか否か判定される（ステップＳ７０）。ここでは、例えば、切替を希望する旨の予め設定された操作入力があれば、切替コマンドの入力ありと判定してもよいし、切替を希望しない旨の予め設定された操作入力がなければ、切替コマンドの入力ありと判定してもよい。また、予め決められたルールやモードの設定に従って、一定時間に亘って切替コマンドの入力がなければ、デフォールトとして切替コマンドの入力ありと判定してもよいし、切替コマンドの入力なしと判定してもよい。
【０１４３】
このステップＳ７０において、切替コマンドの入力がなければ（ステップＳ７０：Ｎｏ）、プレーヤの切替を行うことなくステップＳ３１へ戻る。
【０１４４】
他方、切替コマンドの入力があれば（ステップＳ７０：Ｙｅｓ）、第１実施形態で説明したステップＳ３６〜Ｓ４２の処理が行われる。その後、ステップＳ４２で再接続に失敗した場合には（ステップＳ４２：Ｙｅｓ）、車載型オーディオプレーヤ２００の操作部６６において、切替コマンドの入力があるか否かが判定される（ステップＳ７２）。そして、切替コマンドの入力があれば（ステップＳ７２：Ｙｅｓ）、第１実施形態で説明したステップＳ４４の処理が行われる。他方、切替コマンドの入力がなければ（ステップＳ７２：Ｎｏ）、車載型オーディオプレーヤ２００は、一連の再生及び送信処理を終了する。
【０１４５】
以上詳細に説明したように第４実施形態によれば、ポータブルオーディオプレーヤ１００を使って音声データを鑑賞中のユーザが、車載型オーディオプレーヤ２００が設置された自動車内に乗り込む場合に、ユーザは面倒な手動操作を殆ど又は全く行うことなしに、当該鑑賞途中にある音声データを、車載型オーディオプレーヤ２００を使って鑑賞し続けることができる。しかも、ユーザが切替を希望するか否かを、切替処理に反映させることができ、ユーザが意図しないプレーヤの切替を未然防止できる。
【０１４６】
（第５実施形態）
次に本発明の第５実施形態について図７を参照して説明する。ここに図７は、第５実施形態におけるポータブルオーディオプレーヤ１００が備えたマイコン１６に内蔵される不揮発性メモリ１６ｍ（図１参照）内に又は車載型オーディオプレーヤ５６が備えたマイコン５６内に内蔵される不揮発性メモリ５６ｍ（図１参照）内に構築される接続認証用テーブルのデータ構成例を示す概念図である。
【０１４７】
第５実施形態は、上述した第１から第４実施形態と比べて、このような接続認証用テーブルがメモリ内に構築されている点が異なる。その他の構成及び動作については、上述した第１実施形態の場合と同様である。
【０１４８】
図７に示すように、接続認証用テーブルの一例においては、先ず自己の装置、即ち、ポータブルオーディオプレーヤ１００であれば、当該ポータブルオーディオプレーヤ１００についての、識別番号、機種及び接続条件が登録されており、或いは、車載型オーディオプレーヤ２００であれば、当該車載型オーディオプレーヤ２００についての、識別番号、機種及び接続条件が登録されている。更に、このような自己の装置に対して、接続可能な装置ＮＯ１、ＮＯ２、ＮＯ３、…についての、識別番号、機種及び接続条件が登録されている。より具体的には、ポータブルオーディオプレーヤ１００側のメモリ１６ｍ内のテーブルであれば、当該ポータブルオーディオプレーヤ１００に接続可能な車載型オーディオプレーヤ２００についての、識別番号、機種及び接続条件が登録されている。他方、車載型オーディオプレーヤ２００側のメモリ５６ｍ内のテーブルであれば、当該車載型オーディオプレーヤ２００に接続可能なポータブルオーディオプレーヤ１００についての、識別番号、機種及び接続条件が登録されている。このような登録は、例えばユーザが、操作部２６或いは操作部６６を介しての所定操作によって行えばよい。
【０１４９】
従って第５実施形態によれば、前述した第１〜第４実施形態における接続処理において、図７の如きテーブルから識別番号等を読み出して送信することで、通信接続を試みている最中の相手方に、自己の認識番号等を送ることができる。同時に、通信接続を試みている最中の相手方から相手方の認識番号等を受けた際に、図７の如きテーブルを参照することで、これが登録されているか否かを迅速に判定できる。よって、テーブルに格納された情報を利用して、通信接続を自動的に且つ的確に確立できるので便利である。更に、仮に第三者所有の車載型オーディオプレーヤ２００やポータブルオーディオプレーヤ１００に接近等しても、誤動作する可能性を低減できる。
【０１５０】
尚、図７のテーブル中の「接続条件」としては、例えば、複数のポータブルオーディオプレーヤ１００と同時に通信接続可能な状況になった場合にプレーヤの切替を行う相手方として扱う優先順、通信接続状態として認める接近状態の所定範囲、接続対象の機種の限定、切替後の再生における特殊条件、自動的に接続を切り替えて良いか否かのモード設定など、具体的な車載型オーディオプレーヤ２００やポータブルオーディオプレーヤ１００における仕様や機能に応じて各種接続条件が考えられる。
【０１５１】
（その他の変形形態）
以上説明した各実施形態では、ポータブルオーディオプレーヤ１００で再生を停止した個所から、車載型オーディオプレーヤ２００で再生を開始するように構成されている。しかしながら、ポータブルオーディオプレーヤ１００で再生を停止した個所から再生時間軸上で多少遡って、車載型オーディオプレーヤ２００で再生を開始するように構成してもよい。例えば、切替前後において、ポータブルオーディオプレーヤ１００での再生出力と、車載型オーディオプレーヤ２００での再生出力とを所定量だけ重ねてもよい。更に、ポータブルオーディオプレーヤ１００側で再生途中にあった楽曲など再生途中のコンテンツ情報を、車載型オーディオプレーヤ２００側で冒頭から再び開始するように構成してもよい。
【０１５２】
以上説明した各実施形態では、第２電子機器の一例が、車載型オーディオプレーヤ２００から構成されているが、これに代えて、自宅或いは宿泊施設、娯楽施設、飲食施設等の各種施設内に置かれた据置型オーディオプレーヤから構成されてもよい。更に、音声データのみでなく、映像データをコンテンツ情報として再生するポータブルプレーヤ並びに車載型又は据置型プレーヤから構成されてもよい。
【０１５３】
本発明は、上述した実施例に限られるものではなく、請求の範囲及び明細書全体から読み取れる発明の要旨或いは思想に反しない範囲で適宜変更可能であり、そのような変更を伴う電子機器セット、これをなす第１及び第２電子機器、並びにコンピュータプログラムもまた本発明の技術思想に含まれるものである。
【０１５４】
【発明の効果】
以上詳細に説明したように本発明によれば、例えばポータブルプレーヤ等の第１電子機器で再生中のコンテンツ情報を、比較的簡単な操作により若しくは自動的に、車載型或いは据置型プレーヤ等の第２電子機器によって再生できる。
【図面の簡単な説明】
【図１】本発明の第１実施形態に係る電子機器セットのブロック図である。
【図２】第１実施形態に係る電子機器セットを構成するポータブルオーディオプレーヤにおける動作を示すフローチャートである。
【図３】第１実施形態に係る電子機器セットを構成する車載型オーディオプレーヤにおける動作を示すフローチャートである。
【図４】本発明の第２実施形態に係る電子機器セットを構成するポータブルオーディオプレーヤにおける動作を示すフローチャートである。
【図５】本発明の第３実施形態に係る電子機器セットを構成するポータブルオーディオプレーヤにおける動作を示すフローチャートである。
【図６】本発明の第４実施形態に係る電子機器セットを構成する車載型オーディオプレーヤにおける動作を示すフローチャートである。
【図７】本発明の第５実施形態に係る電子機器セットに用いられる不揮発性メモリ内に構築される接続認証用テーブルのデータ構成例を示す概念図である。
【符号の説明】
１０…ヘッドファン
１４…デコーダ
１６…マイコン
１６ｍ…不揮発性メモリ
２０…記憶装置
２２…メモリ
２４…無線通信装置
５０…スピーカ
５４…デコーダ
５６…マイコン
５６ｍ…不揮発性メモリ
６２…メモリ
６４…無線通信装置
１００…ポータブルオーディオプレーヤ
２００…車載型オーディオプレーヤ
【図１】
2004022139.tif 000003
【図２】
2004022139.tif 000004
【図３】
2004022139.tif 000005
【図４】
2004022139.tif 000006
【図５】
2004022139.tif 000007
【図６】
2004022139.tif 000008
【図７】
2004022139.tif 000009